(57)【特許請求の範囲】
【請求項１】
縦、横及び高さの３辺の長さの合計を公共の配送サービスで配送可能な最大サイズ以下とした少なくとも２つの第１の基準フェンスと、縦、横及び高さの３辺の長さの合計を公共の配送サービスで配送可能な最大サイズ以下とした所定数の第２の基準フェンスとを、設置場所に搬送した後に連結して一体化する家畜用組立式フェンスであり、
前記第１の基準フェンスは、
上枠、非連結側の縦枠及び下枠となるパイプ部材と、
平行に配置された前記上枠と前記下枠の連結側の端部同士を、前記パイプ部材のパイプ孔を開口させた状態で接続する縦板と、
通過を阻止したい家畜の大きさよりも狭い間隔の複数の開口部を有し、前記上枠、前記下枠、前記縦枠及び前記縦板で形成される外枠内に配置される補強部材と、
を備え、
前記第１の基準フェンスの間に配置する前記第２の基準フェンスは、
前記パイプ部材と同じ材質且つ同じ断面を備える中間上枠及び中間下枠用の２本のパイプ部材と、
平行に配置された前記２本のパイプ部材の両端部を、パイプ孔を開口させた状態で接続する２枚の中間縦板と、
通過を阻止したい家畜の大きさよりも狭い間隔の複数の開口部を有し、前記中間上枠、前記中間下枠及び前記２枚の中間縦板で形成される中間外枠内に配置される補強部材と、
を備え、
前記縦板同士の結合、前記縦板と前記中間縦板との結合、或いは前記中間縦板同士の面結合が行われて連結される家畜用組立式フェンス。
【請求項２】
前記縦板同士の結合、前記縦板と前記中間縦板との結合、或いは前記中間縦板同士の結合は、前記縦板と前記中間縦板の対応する位置に開けられた連結孔にボルトが挿され、ナットで締結して行われている請求項１に記載の家畜用組立式フェンス。
【請求項３】
前記縦板同士の結合、前記縦板と前記中間縦板との結合、或いは前記中間縦板同士の結合が、前記ボルトとナットにより締結される前に、前記第１の基準フェンス同士、前記第１の基準フェンスと前記第２の基準フェンス或いは前記第２の基準フェンス同士が仮接続される仮組立具を有し、
前記仮組立具は、
前記パイプ部材の内径より小さい外径を備える円柱状の固定部材であって、外周面に前記固定部材の軸線に平行に設けられた複数の溝部と、前記複数の溝部の中の１つに設けられた第１開口と、前記固定部材の両端面にそれぞれ設けられた第２開口と、前記第１開口と一対の前記第２開口とを前記固定部材の内部で連通する二股通路と、を有する固定部材と、
前記固定部材の外周面に前記固定部材の軸線に平行に設けられた前記複数の溝部にそれぞれ収容される中央部と、前記中央部の両側に位置して先端部が前記軸線に近づく方向に傾斜する傾斜部とを備える複数個の板状バネと、
一対の移動部材であって、それぞれの移動部材は、上底及び下底を有し、前記複数個の板状バネに囲まれる空間内に前記固定部材を挟むように配置され、前記下底が前記固定部材の外径に等しい円錐台状の形状を有する一対の移動部材と、
第１端部及び第２端部を有する押し部材であって、前記複数の溝部の中の１つに設けられた前記第１開口と、前記固定部材の両端面にそれぞれ設けられた前記第２開口とを前記固定部材の内部で連通する前記二股通路に前記第１開口から前記第２端部が挿入され、前記第１開口側に露出している前記第１端部が押されることにより前記第２端部が２つに分離して前記二股通路内それぞれを変形しながら移動し、２つに分離した前記第２端部が前記第２開口からそれぞれ突出可能な押し部材と、
を備え、
前記第１開口を備える前記溝部に取り付けられる前記板状バネの中央部には前記第１開口に重なる貫通孔が設けられており、
前記第１の基準フェンスと前記第２の基準フェンスの連結側のパイプ部材の開口には、連結時に前記押し部材を挿通できる凹部が設けられており、
前記板状バネの先端部近傍にはそれぞれロック突起が設けられており、
前記凹部を通る前記パイプ部材の長手方向の線上には前記ロック突起を受け入れるロック孔が設けられており、
使用前の前記仮組立具は、前記固定部材に前記板状バネが取り付けられ、板状バネで囲まれた空間内には前記移動部材が挿入されており、前記押し部材は２つに分離した前記第２端部のそれぞれが前記第２開口内に位置していると共に前記第１端部が前記板状バネの中央部の前記第１開口から突出した位置にあり、
前記第１の基準フェンス同士、前記第１と第２の基準フェンス又は前記第２の基準フェンス同士が前記仮組立具を用いて連結される時には、対応する前記パイプ部材の開口同士を対向させた状態で、前記仮組立具の両側が対向する前記パイプ孔のそれぞれに挿入され、前記押し部材の前記第１端部が前記パイプ部材の外周面に達するまで前記押し部材は前記二股通路内に挿入され、前記第２開口からそれぞれ突出する前記第２端部によって、一対の前記移動部材は前記固定部材から離れる方向に移動しており、移動した前記移動部材によって前記板状バネは変形して前記ロック突起が前記ロック孔に挿入され、前記パイプ部材が仮接続されている、請求項２に記載の家畜用組立式フェンス。
【請求項４】
前記第２の基準フェンスの横幅は、前記第１の基準フェンスの横幅と同じである請求項１〜３の何れか一項に記載の家畜用組立式フェンス。
【請求項５】
前記第２の基準フェンスは、前記第１の基準フェンスの横幅を１として、前記第２の基準フェンスの横幅が１／２〜１の範囲で変更できる伸縮フェンスである請求項１〜４の何れか一項に記載の家畜用組立式フェンス。
【請求項６】
前記第２の基準フェンスは複数あり、複数の前記第２の基準フェンスは、横幅が前記第１の基準フェンスの横幅と同じに形成されたフェンスと、横幅が前記第１の基準フェンスの横幅と異なる少なくとも１つのフェンス又は前記第１の基準フェンスの横幅を１として、横幅を１／２〜１の範囲で変更できる伸縮フェンスとを含んでいる請求項１〜４の何れか一項に記載の家畜用組立式フェンス。
【請求項７】
前記伸縮フェンスは、長手方向の中央部で２分割された前記中間上枠と、長手方向の中央部で２分割された前記中間下枠と、前記中間上枠の分割部分と前記中間下枠の分割部分との間に挿入される伸縮機構とから形成され、
前記伸縮機構は、
前記中間上枠及び前記中間下枠のそれぞれの分割部分に開口するパイプ孔の中を、それぞれ摺動して移動可能な２本のスライドロッドと、
前記２本のスライドロッドの中央部同士を接続する中央縦枠と、
前記パイプ孔に挿入された前記スライドロッドの挿入部分を固定する固定具、及び
前記中央縦枠と前記第２の基準フェンスの前記２枚の中間縦板のそれぞれとの間に設けられ、前記中央縦枠と前記２枚の中間縦板のそれぞれとの間の距離の変化に応じて伸縮する伸縮補強部材と、を備え、
前記スライドロッドの前記パイプ孔への挿入部分を前記固定具で固定し、前記２枚の中間縦板の間の定められた距離に応じて前記伸縮フェンスの横方向の長さが定められており、前記２本のスライドロッドの両端部が前記中間上枠又は前記中間下枠から突出した場合は、突出部分が伸縮フェンスに連結される前記第１の基準フェンス又は前記第２の基準フェンスのパイプ孔に挿入される請求項５又は６に記載の家畜用組立式フェンス。
【請求項８】
前記縦板と前記中間縦板は、前記家畜用組立式フェンスの一方の側面から突出する拡幅部を備えており、
前記拡幅部には、組立後の前記家畜用組立式フェンスを斜めに横切るように組み込まれる変形防止部材を挿通するための長孔が設けられており、
前記長孔に挿通されて組立後の前記家畜用組立式フェンスを斜めに横切る前記変形防止部材は、前記外枠、前記長孔及び前記補強部材に接する部位で溶接される請求項１〜７の何れか一項に記載の家畜用組立式フェンス。
【請求項９】
請求項３に記載の家畜用組立式フェンスにおいて、前記第１の基準フェンスと前記第２の基準フェンスの連結側のパイプ部材の開口には凹部が設けられており、前記凹部を通る前記パイプ部材の長手方向の線上にはロック孔が設けられており、前記縦板同士の結合、前記縦板と前記中間縦板との結合、或いは前記中間縦板同士の結合が、前記ボルトとナットにより締結される前に、前記第１の基準フェンス同士、前記第１の基準フェンスと前記第２の基準フェンス或いは前記第２の基準フェンス同士が仮接続される仮組立具であって、
前記パイプ部材の内径より小さい外径を備える円柱状の固定部材であって、外周面に前記固定部材の軸線に平行に設けられた複数の溝部と、前記複数の溝部の中の１つに設けられた第１開口と、前記固定部材の両端面にそれぞれ設けられた第２開口と、前記第１開口と一対の前記第２開口とを前記固定部材の内部で連通する二股通路と、を有する固定部材と、
前記固定部材の外周面に前記固定部材の軸線に平行に設けられた前記複数の溝部にそれぞれ収容される中央部と、前記中央部の両側に位置して先端部が前記軸線に近づく方向に傾斜する傾斜部とを備える複数個の板状バネと、
一対の移動部材であって、それぞれの移動部材は、上底及び下底を有し、前記複数個の板状バネに囲まれる空間内に前記固定部材を挟むように配置され、前記下底が前記固定部材の外径に等しい円錐台状の形状を有する一対の移動部材と、
第１端部及び第２端部を有する押し部材であって、前記複数の溝部の中の１つに設けられた前記第１開口と、前記固定部材の両端面にそれぞれ設けられた前記第２開口とを前記固定部材の内部で連通する前記二股通路に前記第１開口から前記第２端部が挿入され、前記第１開口側に露出している前記第１端部が押されることにより前記第２端部が２つに分離して前記二股通路内それぞれを変形しながら移動し、２つに分離した前記第２端部が前記第２開口からそれぞれ突出可能な押し部材とを備え、
前記第１開口を備える前記溝部に取り付けられる前記板状バネの中央部には前記第１開口に重なる貫通孔が設けられており、
前記板状バネの先端部近傍には前記ロック突起を受け入れるロック孔が設けられており、
使用前の状態では、前記固定部材に前記板状バネが取り付けられ、板状バネで囲まれた空間内には前記移動部材が挿入されており、前記押し部材は２つに分離した前記第２端部のそれぞれが前記第２開口内に位置していると共に前記第１端部が前記板状バネの中央部の前記第１開口から突出した位置にある、仮組立具。
【請求項１０】
請求項１から８の何れか一項に記載の家畜用組立式フェンスを用いた家畜用組立式フェンスの設置方法であり、
牧場用柵の出入口の両側にある第１と第２の支柱の間の長さに合わせて、２つの前記第１の基準フェンスの間に挟む前記第２の基準フェンスの所定数を決定し、
２つの前記第１の基準フェンスと前記所定数の前記第２の基準フェンスとを連結せずに設置場所に前記公共の配送サービスで運び、
前記第２の基準フェンスが単数の場合は、対応する前記縦板と前記中間縦板とを結合させて前記家畜用組立式フェンスを形成し、前記第２の基準フェンスが複数の場合は、対応する前記縦板と前記中間縦板の結合及び対応する前記中間縦枠同士の結合を行って前記家畜用組立式フェンスを形成し、
両側に位置する前記第１の基準フェンスの、一方の前記縦枠を回動保持部材を用いて前記第１の支柱に回動自在に保持させ、他方の前記縦枠を係脱部材を用いて前記第２の支柱に係合させて設置する、家畜用組立式フェンスの設置方法。
【請求項１１】
請求項１から８の何れか一項に記載の家畜用組立式フェンスを２組用いた家畜用組立式フェンスの設置方法であり、
牧場用柵の出入口の両側にある第１と第２の支柱の間の長さに合わせて、２つの家畜用組立式フェンスのそれぞれの長さと、それぞれの前記家畜用組立式フェンスにおいて両側の前記第１の基準フェンスの間に挟む前記第２の基準フェンスの所定数を決定し、
２組の前記家畜用組立式フェンスのそれぞれを形成する前記第１の基準フェンスと前記所定数の前記第２の基準フェンスとを連結せずに設置場所に前記公共の配送サービスで運び、
前記第２の基準フェンスが単数の場合は、対応する前記縦板と前記中間縦板とを結合させ、前記第２の基準フェンスが複数の場合は、対応する前記縦板と前記中間縦板の結合及び対応する前記中間縦板同士の結合を行って、２組の前記家畜用組立式フェンスを形成し、
２組の前記家畜用組立式フェンスの、一方の前記家畜用組立式フェンスの前記第１の基準フェンスの前記縦枠を、回動保持部材を用いて前記第１の支柱に回動自在に保持させ、他方の前記家畜用組立式フェンスの前記第１の基準フェンスの前記縦枠を、回動保持部材を用いて前記第２の支柱に回動自在に保持させ、
前記第１と第２の支柱に回動自在に保持された２つの前記家畜用組立式フェンスのそれぞれの自由端側の前記第１の基準フェンスの前記縦枠同士を、係脱部材を用いて係脱可能に係合させて設置する、家畜用組立式フェンスの設置方法。
【請求項１２】
請求項３に記載の家畜用組立式フェンスを用いた家畜用組立式フェンスの設置方法であり、
牧場用柵の出入口の両側にある第１と第２の支柱の間の長さに合わせて、２つの前記第１の基準フェンスの間に挟む前記第２の基準フェンスの所定数を決定し、
２つの前記第１の基準フェンスと前記所定数の前記第２の基準フェンスとを連結せずに設置場所に前記公共の配送サービスで運び、
連結する前記第１の基準フェンス同士、前記第１と第２の基準フェンス又は前記第２の基準フェンス同士の、対応する上側のパイプ部材と下側のパイプ部材の開口を対向させた状態で、前記仮組立具の両側を対向する前記パイプ孔のそれぞれに挿入し、前記押し部材の前記第１端部を前記パイプ部材の外周面に達するまで押すことにより、前記第２開口からそれぞれ突出する分離した前記第２端部によって前記移動部材を前記固定部材から離れる方向に移動させ、移動した前記移動部材によって前記板状バネを変形させて前記ロック突起を前記ロック孔に挿入させることにより、前記パイプ部材を仮接続し、
仮接続した状態で、前記第１の基準フェンス同士の接続の場合は前記縦板同士の対応する位置、前記第１と第２の基準フェンスの接続の場合は前記縦板と前記中間縦板の対応する位置、前記第２の基準フェンス同士の接続の場合は前記中間縦板同士の対応する位置、に開けられた連結孔にボルトを挿し、ナットで締結して前記家畜用組立式フェンスを形成し、
両側に位置する前記第１の基準フェンスの、一方の前記縦枠を回動保持部材を用いて前記第１の支柱に回動自在に保持させ、他方の前記縦枠を係脱部材を用いて前記第２の支柱に係合させて設置する、家畜用組立式フェンスの設置方法。
【請求項１３】
請求項３に記載の家畜用組立式フェンスを２組用いた家畜用組立式フェンスの設置方法であり、
牧場用柵の出入口の両側にある第１と第２の支柱の間の長さに合わせて、２つの家畜用組立式フェンスのそれぞれの長さと、それぞれの前記家畜用組立式フェンスにおいて両側の前記第１の基準フェンスの間に挟む前記第２の基準フェンスの所定数を決定し、
２組の前記家畜用組立式フェンスのそれぞれを形成する２つの前記第１の基準フェンスと前記所定数の第２の基準フェンスとを連結せずに設置場所に前記公共の配送サービスで運び、
連結する前記第１の基準フェンス同士、前記第１と第２の基準フェンス又は前記第２の基準フェンス同士の、対応する上側のパイプ部材と下側のパイプ部材の開口を対向させた状態で、前記仮組立具の両側を対向する前記パイプ孔のそれぞれに挿入し、前記押し部材の前記第１端部を前記パイプ部材の外周面に達するまで押すことにより、前記第２開口からそれぞれ突出する分離した前記第２端部によって前記移動部材を前記固定部材から離れる方向に移動させ、移動した前記移動部材によって前記板状バネを変形させて前記ロック突起を前記ロック孔に挿入させることにより、前記パイプ部材を仮接続し、
仮接続した状態で、前記第１の基準フェンス同士の接続の場合は前記縦板同士の対応する位置、前記第１と第２の基準フェンスの接続の場合は前記縦板と前記中間縦板の対応する位置、前記第２の基準フェンス同士の接続の場合は前記中間縦板同士の対応する位置、に開けられた連結孔にボルトを挿し、ナットで締結して前記家畜用組立式フェンスを２つ形成し、
２組の前記家畜用組立式フェンスの、一方の前記家畜用組立式フェンスの前記第１の基準フェンスの前記縦枠を、回動保持部材を用いて前記第１の支柱に回動自在に保持させ、他方の前記家畜用組立式フェンスの前記第１の基準フェンスの前記縦枠を、回動保持部材を用いて前記第２の支柱に回動自在に保持させ、
前記第１と第２の支柱のそれぞれに回動自在に保持された前記家畜用組立式フェンスの自由端側の前記第１の基準フェンスの前記縦枠同士を、係脱部材を用いて係脱可能に係合させて設置する、家畜用組立式フェンスの設置方法。
【請求項１４】
前記下枠の地面に対向する位置には、前記家畜用組立式フェンスの地面に対する移動を容易にするキャスターを設けた請求項１０〜１３の何れか一項に記載の家畜用組立式フェンスの設置方法。
【発明の詳細な説明】
【技術分野】
【０００１】
本発明は、家畜用組立式フェンス、このフェンスの仮組立具及びこのフェンスの設置方法に関する。
【背景技術】
【０００２】
従来、牧場では飼育している家畜を囲い込むために家畜用柵が使用されている。また、牧舎では内部の仕切りに家畜用柵が使用されている。このような家畜用柵としては、例えば、特許文献１に牧場用柵の開示がある。特許文献１に開示の牧場用柵は牛に使用するものであり、牧場用柵は放牧地の周囲の地面に所定間隔で埋め込んだ複数本の支柱と、支柱間にかけ渡された木製の横桟や有刺鉄線を備えて形成される。牧場用柵には人が出入りする木戸口や、牛を出入りさせるための出入口があり、木戸口や出入口にはゲート（門扉）が設けられている。
【０００３】
一方、近年、家畜用柵で囲む土地の面積が広がり、家畜用柵内の土地にトラクター等の耕作機械が入るようになった。このため、出入口として、耕作機械が通れるような幅の広いものが見られるようになってきた。図１に示す例は、家畜用柵１に設けられた幅の広い出入口２に設けられた支柱３、４の間にゲートＧを設置した例である。この例では、出入口２に矩形状の金属製のフレーム９１を備えるフェンス９０が取り付けられている。
【０００４】
金属製のフレーム９１を備えるフェンス９０をゲートＧとして使用する場合は、一方の縦枠９２Ｌが出入口２の一方の側に設けられた支柱３に蝶番等の取付部材９３によって回転可能に取り付けられ、他方の縦枠９２Ｒが出入口２の他方の側に設けられた支柱４に係脱部材９４で係止される。図１に示したフェンス９０は、例えば、横幅が１６００ｍｍ、高さが９８０ｍｍ程度の寸法であるが、横幅が５０００ｍｍに近いフェンスも存在する。このような金属製のフレーム９１を備えるフェンス９０は、出入口２の両側に設置された支柱３，４に取り付けて使用する以外に、畜舎の内部を仕切るために、取付部材や係脱部材を用いずに使用されることもある。
【先行技術文献】
【特許文献】
【０００５】
【特許文献１】特開昭６１−２９０１７５号公報
【発明の概要】
【発明が解決しようとする課題】
【０００６】
ところが、従来のゲートに使用する金属製のフレームを備えるフェンスは、出入口の幅が広がるとフェンスの全長が長くなり、フェンスの全長が長くなると、運搬会社の運送規定や運送料金から、運送が困難になる場合があるという課題があった。
【０００７】
例えば、宅配便の会社等の公共の配送サービスを利用して配送可能な荷物の最大サイズは１６０サイズ（縦横高さの三辺の合計が１６０ｃｍであるサイズ）であることが多く、図１に示したフェンス９０のように、全長だけで１６０ｃｍあるような長いフェンスはこのサイズ規定に入らず、宅配便では配送できなかった。一方、１６０サイズを超えるフェンスは、宅配便の会社によっては追加料金を支払って送ることができる場合があり、最大サイズを２００や２６０としている会社や、中には最大サイズを４５０としている会社では配送可能である。しかし、サイズが４５０を超えるフェンスに関しては、宅配便では送ることができず、独自にトラックをチャーターすることになり、料金が非常に高くなる課題があった。
【０００８】
更に、図１に示すように、従来のフェンス９０を牧場における家畜用柵１の出入口２に設けるゲートＧとして使用する場合、牧場主は支柱３，４を備える出入口２のサイズに合わせて、色々なサイズのフェンスを要望する。このため、フェンス製造会社は複数の種類のフェンスを用意しなければならず、多くの種類のフェンスの在庫を抱えることになって倉庫代が嵩むという課題があった。
【０００９】
本発明は、ゲートに使用する金属製のフレームを備えるフェンスを、全長寸法が短い少なくとも２種類の基準フェンスの組み合わせで形成する組立式フェンスとし、長尺のフェンスは輸送後に現地で組み立てることにより、色々な開口部の長さの出入口に対応できると共に、宅配便による配送が可能で、輸送コストが安価な家畜用組立式フェンス、このフェンスの仮組立具及びこのフェンスの設置方法を提供することを目的としている。
【課題を解決するための手段】
【００１０】
上記目的を達成する本発明の家畜用組立式フェンスは、縦、横及び高さの３辺の長さの合計を公共の配送サービスで配送可能な最大サイズ以下とした少なくとも２つの第１の基準フェンスと、縦、横及び高さの３辺の長さの合計を公共の配送サービスで配送可能な最大サイズ以下とした所定数の第２の基準フェンスとを、設置場所に搬送した後に連結して一体化する家畜用組立式フェンスであり、第１の基準フェンスは、上枠、非連結側の縦枠及び下枠となるパイプ部材と、平行に配置された上枠と下枠の連結側の端部同士を、パイプ部材のパイプ孔を開口させた状態で接続する縦板と、通過を阻止したい家畜の大きさよりも狭い間隔の複数の開口部を有し、上枠、下枠、縦枠及び縦板で形成される外枠内に配置される補強部材と、を備え、第１の基準フェンスの間に配置する第２の基準フェンスは、パイプ部材と同じ材質且つ同じ断面を備える中間上枠及び中間下枠用の２本のパイプ部材と、平行に配置された２本のパイプ部材の両端部を、パイプ孔を開口させた状態で接続する２枚の中間縦板と、通過を阻止したい家畜の大きさよりも狭い間隔の複数の開口部を有し、中間上枠、中間下枠及び２枚の中間縦板で形成される中間外枠内に配置される補強部材と、を備え、縦板同士の結合、縦板と中間縦板との結合、或いは中間縦板同士の面結合が行われて連結されることを特徴としている。
【００１１】
上記目的を達成する本発明の家畜用組立式フェンスの仮組立具は、家畜用組立式フェンスにおいて、第１の基準フェンスと第２の基準フェンスの連結側のパイプ部材の開口には凹部が設けられており、凹部を通るパイプ部材の長手方向の線上にはロック孔が設けられており、縦板同士の結合、縦板と中間縦板との結合、或いは中間縦板同士の結合が、ボルトとナットにより締結される前に、第１の基準フェンス同士、第１の基準フェンスと第２の基準フェンス或いは第２の基準フェンス同士が仮接続される仮組立具であって、パイプ部材の内径より小さい外径を備える円柱状の固定部材であって、外周面に固定部材の軸線に平行に設けられた複数の溝部と、複数の溝部の中の１つに設けられた第１開口と、固定部材の両端面にそれぞれ設けられた第２開口と、第１開口と一対の第２開口とを固定部材の内部で連通する二股通路と、を有する固定部材と、固定部材の外周面に固定部材の軸線に平行に設けられた複数の溝部にそれぞれ収容される中央部と、中央部の両側に位置して先端部が軸線に近づく方向に傾斜する傾斜部とを備える複数個の板状バネと、一対の移動部材であって、それぞれの移動部材は、上底及び下底を有し、複数個の板状バネに囲まれる空間内に固定部材を挟むように配置され、下底が固定部材の外径に等しい円錐台状の形状を有する一対の移動部材と、第１端部及び第２端部を有する押し部材であって、複数の溝部の中の１つに設けられた第１開口と、固定部材の両端面にそれぞれ設けられた第２開口とを固定部材の内部で連通する二股通路に第１開口から第２端部が挿入され、第１開口側に露出している第１端部が押されことにより第２端部が２つに分離して二股通路内それぞれを変形しながら移動し、２つに分離した第２端部が第２開口からそれぞれ突出可能な押し部材とを備え、第１開口を備える溝部に取り付けられる板状バネの中央部には第１開口に重なる貫通孔が設けられており、板状バネの先端部近傍にはロック突起を受け入れるロック孔が設けられており、使用前の状態では、固定部材に板状バネが取り付けられ、板状バネで囲まれた空間内には移動部材が挿入されており、押し部材は２つに分離した第２端部のそれぞれが第２開口内に位置していると共に第１端部が板状バネの中央部の第１開口から突出した位置にあることを特徴としている。
【００１２】
上記目的を達成する本発明の家畜用組立式フェンスの設置方法の第１の形態は、上述した家畜用組立式フェンスを用いた家畜用組立式フェンスの設置方法であり、牧場用柵の出入口の両側にある第１と第２の支柱の間の長さに合わせて、２つの第１の基準フェンスの間に挟む第２の基準フェンスの所定数を決定し、２つの第１の基準フェンスと所定数の第２の基準フェンスとを連結せずに設置場所に公共の配送サービスで運び、第２の基準フェンスが単数の場合は、対応する縦板と中間縦板とを結合させて家畜用組立式フェンスを形成し、第２の基準フェンスが複数の場合は、対応する縦板と中間縦板の結合及び対応する中間縦枠同士の結合を行って家畜用組立式フェンスを形成し、両側に位置する第１の基準フェンスの、一方の縦枠を回動保持部材を用いて第１の支柱に回動自在に保持させ、他方の縦枠を係脱部材を用いて第２の支柱に係合させて設置することを特徴としている。
【００１３】
上記目的を達成する本発明の家畜用組立式フェンスの設置方法の第２の形態は、上述した家畜用組立式フェンスを２組用いた家畜用組立式フェンスの設置方法であり、牧場用柵の出入口の両側にある第１と第２の支柱の間の長さに合わせて、２つの家畜用組立式フェンスのそれぞれの長さと、それぞれの家畜用組立式フェンスにおいて両側の第１の基準フェンスの間に挟む第２の基準フェンスの所定数を決定し、２組の家畜用組立式フェンスのそれぞれを形成する第１の基準フェンスと所定数の第２の基準フェンスとを連結せずに設置場所に公共の配送サービスで運び、第２の基準フェンスが単数の場合は、対応する縦板と中間縦板とを結合させ、第２の基準フェンスが複数の場合は、対応する縦板と中間縦板の結合及び対応する中間縦板同士の結合を行って、２組の家畜用組立式フェンスを形成し、２組の家畜用組立式フェンスの、一方の家畜用組立式フェンスの第１の基準フェンスの縦枠を、回動保持部材を用いて第１の支柱に回動自在に保持させ、他方の家畜用組立式フェンスの第１の基準フェンスの縦枠を、回動保持部材を用いて第２の支柱に回動自在に保持させ、第１と第２の支柱に回動自在に保持された２つの家畜用組立式フェンスのそれぞれの自由端側の第１の基準フェンスの縦枠同士を、係脱部材を用いて係脱可能に係合させて設置することを特徴としている。
【００１４】
上記目的を達成する本発明の家畜用組立式フェンスの設置方法の第３の形態は、上述した家畜用組立式フェンスを用いた家畜用組立式フェンスの設置方法であり、牧場用柵の出入口の両側にある第１と第２の支柱の間の長さに合わせて、２つの第１の基準フェンスの間に挟む第２の基準フェンスの所定数を決定し、２つの第１基準フェンスと所定数の第２の基準フェンスとを連結せずに設置場所に公共の配送サービスで運び、連結する第１の基準フェンス同士、第１と第２の基準フェンス又は第２の基準フェンス同士の、対応する上側のパイプ部材と下側のパイプ部材の開口を対向させた状態で、仮組立具の両側を対向するパイプ孔のそれぞれに挿入し、押し部材の第１端部をパイプ部材の外周面に達するまで押すことにより、第２開口からそれぞれ突出する分離した第２端部によって移動部材を固定部材から離れる方向に移動させ、移動した移動部材によって板状バネを変形させてロック突起をロック孔に挿入させることにより、パイプ部材を仮接続し、仮接続した状態で、縦板と中間縦板の対応する位置に開けられた連結孔にボルトを挿し、ナットで締結して家畜用組立式フェンスを形成し、両側に位置する第１の基準フェンスの、一方の縦枠を回動保持部材を用いて第１の支柱に回動自在に保持させ、他方の縦枠を係脱部材を用いて第２の支柱に係合させて設置することを特徴としている。
【００１５】
上記目的を達成する本発明の家畜用組立式フェンスの設置方法の第４の形態は、上述した家畜用組立式フェンスを２組用いた家畜用組立式フェンスの設置方法であり、牧場用柵の出入口の両側にある第１と第２の支柱の間の長さに合わせて、２つの家畜用組立式フェンスのそれぞれの長さと、それぞれの家畜用組立式フェンスにおいて両側の第１の基準フェンスの間に挟む第２の基準フェンスの所定数を決定し、２組の家畜用組立式フェンスのそれぞれを形成する２つの第１基準フェンスと所定数の第２の基準フェンスとを連結せずに設置場所に公共の配送サービスで運び、連結する第１の基準フェンス同士、第１と第２の基準フェンス又は第２の基準フェンス同士の、対応する上側のパイプ部材と下側のパイプ部材の開口を対向させた状態で、仮組立具の両側を対向するパイプ孔のそれぞれに挿入し、押し部材の第１端部をパイプ部材の外周面に達するまで押すことにより、第２開口からそれぞれ突出する分離した第２端部によって移動部材を固定部材から離れる方向に移動させ、移動した移動部材によって板状バネを変形させてロック突起をロック孔に挿入させることにより、パイプ部材を仮接続し、仮接続した状態で、縦板と中間縦板の対応する位置に開けられた連結孔にボルトを挿し、ナットで締結して家畜用組立式フェンスを２つ形成し、２組の家畜用組立式フェンスの、一方の家畜用組立式フェンスの第１の基準フェンスの縦枠を、回動保持部材を用いて第１の支柱に回動自在に保持させ、他方の家畜用組立式フェンスの第１の基準フェンスの縦枠を、回動保持部材を用いて第２の支柱に回動自在に保持させ、第１と第２の支柱のそれぞれに回動自在に保持された家畜用組立式フェンスの自由端側の第１の基準フェンスの縦枠同士を、係脱部材を用いて係脱可能に係合させて設置することを特徴としている。
【００１６】
なお、家畜用組立式フェンスの設置方法の第１〜第４の形態において、第１と第２の基準フェンスが非連結状態で設置場所に宅配便や郵送で搬送され、縦板同士、中間縦板同士、或いは縦板と中間縦板との結合前に、仮組立具を用いてこれらを仮接続し、仮接続した状態でこれらを連結することが可能である。
【発明の効果】
【００１７】
本発明の家畜用柵の組立式フェンスによれば、組立式フェンスを、両側用の１種類の第１の基準フェンスと、第１の基準フェンスの間に挟んで連結する少なくとも１種類の第２の基準フェンスの組み合わせで形成するようにし、第１の基準フェンスと第２の基準フェンスは非連結状態で公共の配送サービスを利用して牧場に運び、牧場で連結することにより、輸送費用を節約しながら、牧場の出入口の幅に合ったフェンスを安価に提供できるという効果がある。
【００１８】
また、本発明の家畜用柵の組立式フェンスの仮組立具によれば、縦板同士、中間縦板同士、或いは縦板と中間縦板とをボルトとナットを用いて結合する場合に、上パイプ同士、及び下パイプ同士を簡単に仮接続でき、この状態では連結孔は重なり合っているので、結合を容易に行うことができる。
【００１９】
更に、本発明の家畜用柵の組立式フェンスの設置方法によれば、牧場に設置する柵に設けられる色々な幅の出入口に、出入口の幅が狭い場合には片開きの状態で、出入口の幅が広い場合には両開きの状態で設置することにより、開閉がスムーズにできるという効果がある。
【図面の簡単な説明】
【００２０】
【図１】家畜用柵の出入口に設けられた支柱の間にゲートとして設置された従来のフェンスの一例を示す図である。
【図２】（ａ）は図１に示した従来のフェンスよりも長い別の例の家畜用フェンスの構成と、これを３つに分断する場所を示す正面図、（ｂ）は（ａ）に示した従来の家畜用フェンスと同等のフェンスを形成するために並べた、２つの第１の基準フェンスと１つの第２の基準フェンスの正面図、（ｃ）は（ｂ）に示した第１の基準フェンスと第２の基準フェンスをボルトとナットで連結した状態を示す、本発明の一実施例の組立式フェンスを示す正面図、（ｄ）は第１の基準フェンスと第２の基準フェンスを２つずつ組み合わせて組立式フェンスを形成する場合の、第１の基準フェンスと第２の基準フェンスの配置を示す正面図である。
【図３】（ａ）は図２（ｂ）に示した第１の基準フェンスの構成を示す分解斜視図、（ｂ）は図２（ｂ）に示した第２の基準フェンスの構成を示す分解斜視図である。
【図４】（ａ）は図２（ｂ）に示した第１の基準フェンスと第２の基準フェンスをボルトとナットを用いて組み立てる状態を示す斜視図、（ｂ）は組み立てられた状態の第１の基準フェンスと第２の基準フェンスを示す斜視図である。
【図５】第１の基準フェンスを３種類用意する場合の実施例を示すものであり、（ａ）は図２（ｂ）に示した第１の基準フェンスよりも水平方向の全長が長い第１の基準フェンスの正面図、（ｂ）は図２（ｂ）に示した第１の基準フェンスと水平方向の全長が同じである第１の基準フェンスの正面図、（ｃ）は図２（ｂ）に示した第１の基準フェンスよりも水平方向の全長が短い第１の基準フェンスの正面図である。
【図６】第２の基準フェンスを３種類用意する場合の実施例を示すものであり、（ａ）は図２（ｂ）に示した第２の基準フェンスよりも水平方向の全長が長い第２の基準フェンスの正面図、（ｂ）は図２（ｂ）に示した第２の基準フェンスと水平方向の全長が同じである第２の基準フェンスの正面図、（ｃ）は図２（ｂ）に示した第２の基準フェンスよりも水平方向の全長が短い第２の基準フェンスの正面図である。
【図７】（ａ）は図５（ｂ）に示した第１の基準フェンスを両側にして、その間の部分に図６（ｂ）に示した第２の基準フェンスを挟んで連結した組立式フェンスを、家畜用柵の出入口の両側に設けられた支柱の間に取り付けた状態を示す正面図、（ｂ）は図５（ｂ）に示した第１の基準フェンスを両側にして、その間の部分に図６（ｃ）に示した第２の基準フェンスを挟んで連結した組立式フェンスと、図５（ｂ）に示した第１の基準フェンスを２つ連結した組立式フェンスを、家畜用柵の出入口の両側に設けられた支柱の間にそれぞれ取り付けて観音開きを可能にした状態を示す正面図である。
【図８】（ａ）は回転保持部材の具体的な実施例の構造を示す斜視図、（ｂ）は係脱部材の具体的な実施例の構造を示す斜視図、（ｃ）は係脱部材の別の具体的な実施例の構造を示す斜視図である。
【図９】（ａ）は第１の基準フェンスと２種類の第２の基準フェンスを用意する場合の第１の基準フェンスと２種類の第２の基準フェンスを示す概略図、（ｂ）は（ａ）に示した第１の基準フェンスを２つ連結した組立式フェンスの概略図、（ｃ）は（ａ）に示した２つの第１の基準フェンスの間に短い方の第２の基準フェンスを連結した組立式フェンスの概略図、（ｄ）は（ａ）に示した２つの第１の基準フェンスの間に長い方の第２の基準フェンスを連結した組立式フェンスの概略図、（ｅ）は（ａ）に示した２つの第１の基準フェンスの間に長短２種類の第２の基準フェンスを連結した組立式フェンスの概略図、（ｆ）は（ａ）に示した２つの第１の基準フェンスの間に長い方の第２の基準フェンスを２つ連結した組立式フェンスの概略図、（ｇ）は（ａ）に示した２つの第１の基準フェンスの間に長い方の第２の基準フェンス２つと短い方の第２の基準フェンス１つを連結した組立式フェンスの概略図である。
【図１０】第１の基準フェンスと第２の基準フェンスの連結部に、図３（ａ）に示した長孔を備えた幅広の縦板を採用した場合の、図９（ｃ）に示した組立式フェンスの斜視図であり、長孔に補強ロッドを取り付ける工程を説明する説明図である。
【図１１】（ａ）は図９（ｂ）に示した実施例の組立式フェンスに補強ロッドを組み込んだ実施例を示す概略図、（ｂ）は図９（ｃ）に示した実施例の組立式フェンスに補強ロッドを組み込んだ実施例を示す概略図、（ｃ）は図９（ｄ）に示した実施例の組立式フェンスに補強ロッドを組み込んだ実施例を示す概略図、（ｄ）は図９（ｅ）に示した実施例の組立式フェンスに補強ロッドを組み込んだ実施例を示す概略図、（ｅ）は図９（ｆ）に示した実施例の組立式フェンスに補強ロッドを組み込んだ実施例を示す概略図、（ｆ）は図９（ｇ）に示した実施例の組立式フェンスに補強ロッドを組み込んだ実施例を示す概略図、（ｇ）は図９（ｇ）に示した実施例の組立式フェンスに補強ロッドを組み込んだ別の実施例を示す概略図である。
【図１２】図７（ａ）に示した組立式フェンスの支柱との係脱側にキャスターの一実施例を取り付けた状態を示す正面図、（ｂ）は（ａ）に示したキャスターの組立式フェンスへの取付方法の一例を示す部分拡大斜視図である。
【図１３】（ａ）は組立式フェンスの支柱との係脱側にキャスターの別の実施例のキャスターを取り付けた状態を示す正面図、（ｂ）は（ａ）に示したキャスターの正面図、（ｃ）は（ａ）に示したキャスターの取付部分の状態を示す部分拡大斜視図である。
【図１４】（ａ）は第２の基準フェンスの変形例の伸縮フェンスの構造を示す斜視図、（ｂ）は（ａ）に示した伸縮フェンスを組み立てて最大限に広げた状態を示す正面図、（ｃ）は（ｂ）に示した伸縮フェンスを最も縮めた状態に近い状態を示す正面図である。
【図１５】図１４（ｃ）に示した伸縮フェンスを、第１の基準フェンスと第２の基準フェンスの第２中間フェンスの間に組み込んだ状態を示す正面図である。
【図１６】図４（ａ）に示した第１の基準フェンスと第２の基準フェンスにおける補強部材の具体的な実施例の一例を示す斜視図である。
【図１７】（ａ）は図３（ａ）に示した第１の基準フェンスの他の実施例の構成を示す分解斜視図、（ｂ）は図３（ｂ）に示した第２の基準フェンスの他の実施例構成を示す分解斜視図である。
【図１８】（ａ）は図１７（ａ）、（ｂ）に示した第１の基準フェンスと第２の基準フェンスの他の実施例をボルトとナットを用いて組み立てる状態を示す斜視図、（ｂ）は組み立てられた状態の他の実施例の第１の基準フェンスと第２の基準フェンスを示す斜視図１８（ｃ）は、図１８（ａ）のＣ部の部分拡大図である。
【図１９】（ａ）は、図４（ａ）に示した第１と第２の基準フェンスの接続時に、上パイプ同士と下パイプ同士とを仮組立具を用いて接続する構成を示す分解斜視図、（ｂ）は（ａ）に示した仮組立具の一実施例の構造を示す部分拡大側面図である。
【図２０】図１９（ｂ）に示した仮組立具の構造を説明する分解斜視図である。
【図２１】図１９（ｂ）に示した仮組立具が上パイプを仮接続する状態を説明する図であり、（ａ）が近接する上パイプの中に仮組立具が挿入された状態を示す側断面図、（ｂ）は（ａ）に示した状態から押し出し部材により上パイプが仮接続された状態を示す側断面図である。
【図２２】（ａ）は第１と第２の基準フェンスの接続時に、上パイプ同士と下パイプ同士とを、別の実施例の仮組立具を用いて仮接続する構成を示す分解斜視図、（ｂ）は（ａ）に示した別の実施例の仮組立具を絞り加工する前の状態を示す金属板の平面図、（ｃ）は（ｂ）に示した金属板を絞り加工して形成された別の実施例の仮組立具の構造を示す拡大斜視図、（ｄ）は（ｃ）に示した別の実施例の仮組立具を上パイプに取り付ける方法を示す説明図、（ｅ）は（ｄ）の方法により上パイプに別の実施例の仮組立具が取り付けられた状態を示す説明図、（ｆ）は第１と第２の基準フェンスの接続時に、上パイプ同士が別の実施例の仮組立具で仮接続された状態を示す部分拡大斜視図である。
【図２３】（ａ）は本発明の他の実施例の組立式フェンスを構成する第１の基準フェンスと第２の基準フェンスの正面図、（ｂ）は（ａ）に示した実施例を用いて形成した組立式フェンスの正面図、（ｃ）は（ｂ）に示した組立式フェンスに設けられている係止リングに補強部材を取り付けた状態を示す正面図である。
【図２４】第１の基準フェンスを１種類、第２の基準フェンスを２種類用意する場合の、第１の基準フェンスと第２の基準フェンスの組み合わせの、別の実施例を説明する説明図である。
【発明を実施するための形態】
【００２１】
以下、添付図面を用いて、本発明の家畜用組立式フェンスの構造及びその設置方法について、具体的な実施例に基づいて説明する。なお、本実施例で説明する家畜用組立式フェンスは、主として牛に使用されるものであるが、家畜は牛に特化されるものではなく、種々の家畜についても本発明の家畜用組立式フェンスは使用できることは言うまでもない。また、以後の説明では、原則として、基準フェンス同士の接続を連結、縦板同士の接続を結合と称する。
【００２２】
図２（ａ）は、図１に示した従来のフェンス９０よりも長い別の例の家畜用フェンス８０の構成を示す正面図である。家畜用フェンス８０の外枠８５は、縦パイプ８１、８２と上パイプ８３及び下パイプ８４を備えており、外枠８５の内部には補強部材８６が設けられている。この家畜用フェンス８０の全長は３ｍ弱あり、宅配便での配送はできない。そこで本発明では、従来の家畜用フェンス８０を、線Ｃ１−Ｃ１で示す位置と線Ｃ２−Ｃ２で示す位置で３分割して３つの小型のフェンスＦ１，Ｆ２、Ｆ３とした。３つの小型のフェンスＦ１，Ｆ２、Ｆ３の横幅をそれぞれ９０ｃｍ、高さを９０ｃｍとすれば、横幅は５ｃｍ前後であるので、縦、横、高さの合計が１８５ｃｍ前後となり、２００サイズまで配送可能な宅配便で配送できることになる。
【００２３】
ここで、縦パイプ８１を備える小型フェンスＦ１と、縦パイプ８２を備える小型フェンスＦ３は線対称の形状であるので、縦パイプ８２を備える小型フェンスＦ３は、縦パイプ８１を備える小型フェンスＦ１の左右を逆にすれば良いことが分かる。そこで、本発明では、図２(ａ)に示した家畜用フェンス８０と同等のものを作る際には、図２（ｂ）に示すように、湾曲部１９を備える２つの第１の基準フェンス１０と、フェンスの中間に配置する１つの第２の基準フェンス２０とを組み合わせることにした。
【００２４】
そして、２つの第１の基準フェンス１０と１つの第２の基準フェンス２０とを宅配便で農場に送付し、農場において、２つの第１の基準フェンス１０と１つの第２の基準フェンス２０を図２(ｂ)に示すように並べる。農場ではこの状態で、第１の基準フェンス１０の縦板１２と第２の基準フェンス２０の中間縦板２２を、ボルト３５とナット３６で結合すれば、図２(ｃ)に示すような、図２(ａ)に示した家畜用フェンス８０と同等の組立式フェンス７０を作ることができる。
【００２５】
応用例として、２つの第１の基準フェンス１０と２つの第２の基準フェンス２０を宅配便で農場に送付し、図２(ｄ)に示すように並べて、隣接する縦板同士をボルト３５とナット３６で締結すれば、図２(ｃ)に示した組立式フェンス７０よりも長い組立式フェンス７０Ｌが出来上がる。以後は、この第１の基準フェンス１０と第２の基準フェンス２０の構造、及び第１の基準フェンス１０と第２の基準フェンス２０を用いた色々な実施の形態について、具体的な実施例により詳しく説明する。
【００２６】
図３（ａ）は、図２（ｂ）に示した第１の基準フェンス１０の構造を示す分解斜視図である。組立式フェンスの両側にそれぞれ配置する第１の基準フェンス１０は、湾曲部１９を介して連続的に接続された上パイプ１３及び縦パイプ１１を備える。縦パイプ１１の下端部には、上パイプ１３に平行に下パイプ１４が接合され、上パイプ１３と下パイプ１４の自由端同士は縦板１２で接続される。本実施例では縦板１２の両端部に上パイプ１３と下パイプ１４の外形と同じ形状の凹部１２Ｒがあり、縦板１２は外側の面が上パイプ１３と下パイプ１４の端面と面一になるように、上パイプ１３と下パイプ１４に接合される。この結果、上パイプ１３と下パイプ１４はその端面が縦板１２の表面と面一になり、パイプ孔は縦板１２によって塞がれずに開口している。
【００２７】
縦板１２を上パイプ１３と下パイプ１４に接合した状態では、縦板１２と縦パイプ１１は平行である。そして、縦パイプ１１、縦板１２、上パイプ１３及び下パイプ１４で形成される外枠１５の内部には、縦パイプ１１と縦板１２の対向部を複数箇所で接続すると共に、上パイプ１３と下パイプ１４の中央部同士を接続する補強部材１６が設けられる。補強部材１６の構造は特に限定されないが、補強部材１６を構成する部材の間隔は、通過を阻止したい家畜に対応する間隔とすれば良い。補強部材１６の構造の一例は後述する。
【００２８】
縦板１２には、ボルトを挿通するための連結孔１２Ｈが複数設けられている。連結孔１２Ｈの数と位置は特に限定されるものではない。平板状の縦板１２の横方向の幅は、縦パイプ１１の直径と同程度で良い。一方、平板状の縦板１２の横方向の幅を水平方向に拡張し、拡張部分に縦方向に長孔８を設けた幅広縦板１２Ａを、縦板１２の代わりに上パイプ１３と下パイプ１４の自由端同士の間に設けてもよい。幅広縦板１２Ａを用いた実施例については後述する。また、幅広縦板１２Ａと同形状の幅広縦板２２Ａを、図３（ｂ）に示す第２の基準フェンス２０の中間縦板２２の代わりに、中間上パイプ２３と中間下パイプ２４の自由端同士の間に、前述のように端面と面一になるように設けても良い。
【００２９】
図３（ｂ）は図２（ｂ）に示した第２の基準フェンス２０の構造を示す分解斜視図である。第２の基準フェンス２０は、上パイプ１３及び下パイプ１４と同じ材質且つ同じ断面及び同じ長さの中間上パイプ２３と中間下パイプ２４と、第１の基準フェンス１０の縦板１２と同じ寸法の２枚の中間縦板２２を備える。中間縦板２２の両端には縦板１２の凹部１２Ｒと同様の凹部２２Ｒがある。そして、２枚の中間縦板２２は、平行に配置された中間上パイプ２３と中間下パイプ２４の両端に、第１の基準フェンス１０と同様の接合法でそれぞれ接合される。よって、中間上パイプ２３と中間下パイプ２４は、２枚の中間縦板２２でパイプ孔が開口した状態で接続される。
【００３０】
中間上パイプ２３、中間下パイプ２４及び２枚の中間縦板２２で形成される中間外枠２５の内部には、第１の基準フェンス１０と同様に、補強部材１６が設けられる。補強部材１６の構造は特に限定されないが、補強部材１６を構成する部材の間隔は、通過を阻止したい家畜に対応する間隔とすれば良い。補強部材１６の構造の一例は後述する。
【００３１】
図３（ａ）に示した構造の第１の基準フェンス１０と、図３（ｂ）に示した構造の第２の基準フェンス２０を組み立てると、図４（ａ）に示すようになる。そして、第１の基準フェンス１０の縦板１２と第２の基準フェンス２０の中間縦板２２を隣接させて並べ、連結孔１２Ｈ、２２Ｈにボルト３５を挿通してナット３６で締結する。図４（ｂ）は、連結された第１の基準フェンス１０と第２の基準フェンス２０を備える組立式フェンス７０を示すものである。
【００３２】
図５は、第１の基準フェンス１０を３種類用意する場合の実施例を示すものである。図５（ａ）は図２（ｂ）に示した第１の基準フェンス１０よりも水平方向の全長を１．５倍長くした第１の基準フェンス１０Ｌの正面図であり、図５（ｂ）は図２（ｂ）に示した第１の基準フェンス１０と水平方向の全長が同じである第１の基準フェンス１０の正面図である。更に、図５（ｃ）は、図２（ｂ）に示した第１の基準フェンス１０よりも水平方向の全長を半分にした第１の基準フェンス１０Ｓの正面図である。第１の基準フェンス１０の構造については既に説明したので、第１の基準フェンス１０の各部材には符号のみを付してその説明を省略する。図５（ａ）に示した第１の基準フェンス１０Ｌと図５（ｃ）に示した第１の基準フェンス１０Ｓは単に第１の基準フェンス１０と記載することがある。
【００３３】
図６は、第２の基準フェンス２０を第１の基準フェンス１０と同様に３種類用意する場合の実施例を示すものである。図６（ａ）は図２（ｂ）に示した第２の基準フェンス２０よりも水平方向の全長を１．５倍長くした第２の基準フェンス２０Ｌの正面図であり、図６（ｂ）は図２（ｂ）に示した第２の基準フェンス２０と水平方向の全長が同じである第２の基準フェンス２０の正面図である。更に、図６（ｃ）は、図２（ｂ）に示した第２の基準フェンス２０よりも水平方向の全長を半分にした第２の基準フェンス２０Ｓの正面図である。第１の基準フェンス１０の構造についても既に説明したので、第２の基準フェンス２０の各部材には符号のみを付してその説明は省略する。図６（ａ）に示した第２の基準フェンス２０Ｌと、図６（ｃ）に示した第２の基準フェンス２０Ｓは、単に第２の基準フェンス２０と記載することがある。
【００３４】
なお、図５及び図６に示した実施例のように、第１の基準フェンス１０と第２の基準フェンス２０をそれぞれ３種類用意する場合は、最大幅の第１の基準フェンス１０及び第２の基準フェンス２０の横幅は１３５ｃｍとなり、縦、横、高さの合計が２３０ｃｍ前後となるが、２６０サイズまで配送可能な宅配便で配送できる。また、第１の基準フェンス１０と第２の基準フェンス２０の最大幅を９０ｃｍとする場合は、前述のように、２００サイズまで配送可能な宅配便で配送できる。更に、図５及び図６に示した実施例では、最小幅の第１と第２の基準フェンス１０，２０における、縦パイプ１１と縦板１２の間隔及び２枚の中間縦板２２の間隔と同じになるように、これより広い幅の第１と第２の基準フェンス１０，２０の補強部材１６に縦桟が設けられている。このため、第１と第２の基準フェンス１０，２０をどのように組み合わせて連結して組立式フェンスを形成しても、縦パイプ１１、縦板１２、中間縦板２２及び補強部材１６の縦桟の間隔が同じになり、組立式フェンスが美観に優れたものとなる。
【００３５】
図７（ａ）は、図５（ｂ）に示した第１の基準フェンス１０を両側にして、その間の部分に図６（ｂ）に示した第２の基準フェンス２０を挟んで連結した組立式フェンス７０を組み立て、これを家畜用柵１の出入口２の両側に設けられた支柱３，４の間に取り付けた状態を示している。また、図７（ｂ）は、図５（ｂ）に示した第１の基準フェンス１０を両側にして、その間の部分に図６（ｃ）に示した第２の基準フェンス２０Ｓを挟んで連結した組立式フェンス７０Ａと、図５（ｂ）に示した第１の基準フェンス１０を２つ連結した組立式フェンス７０Ｂを、家畜用柵１の出入口２の両側に設けられた支柱３，４の間にそれぞれ取り付けて、観音開きにした状態を示している。本図において符号５は組立式フェンス７０、７０Ａ、７０Ｂを支柱３，４に回転可能に保持する回転保持部材を示している。また、符号７はフェンスを隣接する支柱或いはフェンスに係脱させる係脱部材を示している。
【００３６】
ここで、回転保持部材５と係脱部材７の構造の一実施例を、図８を用いて説明する。図図８（ａ）は、回転保持部材５の具体的な一実施例の構造を示しており、図８（ｂ）は、係脱部材７の具体的な一実施例の構造を示している。また、図８（ｃ）は、係脱部材７の別の具体的な実施例の構造を示している。
【００３７】
図８（ａ）に示した回転保持部材５は、第１の基準フェンス１０の縦パイプ１１を、支柱３または４に回転保持させる構造であり、ブラケット３０とスリーブ４０を備えて形成されている。ブラケット３０には、ネジやボルトで支柱３または４に固定されるプレート３１と、プレート３１に突設されたＬ字状のフック３２とがある。フック３２の基部３２Ｂはプレート３１に垂直であり、軸部３２Ａは、基部３２Ｂに対して垂直でプレート３１に平行になっている。スリーブ４０には、ブラケット３０の軸部３２Ａに挿通される筒部４１と、筒部４１を第１の基準フェンス１０の縦パイプ１１に固定する取付部４２、及び筒部４１と取付部４２を接続するアーム４６がある。筒部４１に設けられた挿通孔４１Ａの直径は、軸部３２Ａの直径よりも大きい。縦パイプ１１に固着する取付部４２の構造は特に限定されないが、本図に示されるように、半円溝を備える部材を対向させてネジやボルトで締結する構造を使用できる。
【００３８】
図８（ｂ）に示した係脱部材７は、第１の基準フェンス１０の縦パイプ１１を他の支柱４に係脱させるものであり、回転保持部材５に用いられるブラケット３０と、スリーブ４０の筒部４１の挿通孔４１Ａにロッド４４が固着されたもの、及び係脱リング４５とを備えて形成される。ロッド４４の筒部４１から突出する部分の長さは、フック３２の軸部３２Ａの長さと同じである。また、係脱リング４５の内径は大きく、近接する軸部３２Ａとロッド４４を挿通して両者が分離しないようにすることができる。
【００３９】
図８（ｃ）に示した別の実施例の係脱部材７には、図８（ｂ）に示した係脱部材７のスリーブ４０が２つ使用されている。スリーブ４０の筒部４１の挿通孔４１Ａにロッド４４が固着されており、２本のロッド４４の筒部４１から突出する部分の長さは等しい。係脱リング４５の内径は大きく、近接するロッド４４を挿通してロッド４４が分離しないようにできる。
【００４０】
ここで、第１の基準フェンス１０を１種類（これをフェンスＡと記す）、第２の基準フェンス２０を２種類（フェンスＡと同じ横幅をもつものをフェンスＢ、横幅がフェンスＡの半分のものをフェンスＣと記す）用意した場合に、出来上がる組立式フェンスの種類について図９を用いて説明する。図９では、フェンスＡ、Ｂ、Ｃはその内部構造を省略し、外形のみで示している。なお、フェンスＡの左右を逆にしたフェンスはフェンスＡと記してある。
【００４１】
図９（ａ）は、３種類のフェンスＡ、Ｂ、Ｃを示しており、ここでは、フェンスＡ，Ｂ，Ｃを使用してできる組立式フェンスの形態を、横方向の長さが短いものから順に説明する。図９（ｂ）は、３種類のフェンスＡ、Ｂ、Ｃを用意した場合にできる最小の形態の組立式フェンスであり、フェンスＡだけを２つ使用している。一方のフェンスＡは、フェンスＡの左右を逆にして前述の縦板同士をボルトとナットでフェンスＡに結合している。
【００４２】
次の形態は、２つの第１の基準フェンスの間に第２の基準フェンスを１つ挟む形態であり、図９（ｃ）は、フェンスＡとフェンスＡの間にフェンスＣを挟んで連結した組立式フェンスであり、図９（ｄ）は、フェンスＡとフェンスＡの間にフェンスＢを挟んで連結した組立式フェンスである。その次の形態は、２つの第１の基準フェンスの間に第２の基準フェンスを２つ挟む形態であり、図９（ｅ）は、フェンスＡとフェンスＡの間にフェンスＢとフェンスＣを１つずつ挟んで連結した組立式フェンスであり、図９（ｆ）は、フェンスＡとフェンスＡの間にフェンスＢを２つ挟んで連結した組立式フェンスである。このように、２つの第１の基準フェンス１０の間に挟む第２の基準フェンス２０の種類と数を増やせば、図９（ｇ）に示すように、組立式フェンスの長さを長くすることができるので、図９（ｇ）以降の形態についてはその説明を省略する。
【００４３】
ここで、組立式フェンスの補強について説明する。図９（ｇ）に示すように、組立式フェンスの全長が長くなると、連結部分において曲げや変形が発生する虞がある。このような場合は、組立式フェンスの斜め方向に変形防止用のロッドを組み込めば良い。この変形防止用ロッドを組立式フェンスに組み込む実施例を、図１０を用いて説明する。
【００４４】
図１０に示すように、変形防止用ロッド９を組立式フェンス７０に組み込む場合は、第１の基準フェンス１０の縦板１２と、第２の基準フェンス２０の中間縦板２２の代わりに、図３（ａ）に示した幅広縦板１２Ａ、２２Ａを使用する。この場合、幅広縦板１２Ａ、２２Ａに設けられた長孔８は、第１と第２の基準フェンス１０、２０の同じ側に位置するようにする。長孔８の短手方向の幅は、変形防止用ロッド９の直径よりも大きく形成されており、長孔８の長手方向の長さは、変形防止用ロッド９が斜めに組立式フェンス７０を横切るように配置した時に、変形防止用ロッド９に干渉しない長さである。
【００４５】
図１０に示す実施例では、組立式フェンス７０の組立後に変形防止用ロッド９を幅広縦板１２Ａ、２２Ａの長孔８に挿通し、変形防止用ロッド９の一端を第１の基準フェンス１０の縦パイプ１１の下端部に溶接し、他端を第１の基準フェンス１０の湾曲部１９に溶接して固定する。また、変形防止用ロッド９とこれに接する幅広縦板１２Ａ、２２Ａの長孔８が幅広変形防止用ロッド９と交わる部分も溶接して固定する。更に、変形防止用ロッド９とこれに交差する補強部材１６との交点を溶接しても構わない。
【００４６】
このように、組立式フェンス７０の組立後に変形防止用ロッド９を組立式フェンス７０に対して斜めに配置して溶接することにより、組立式フェンス７０の変形を防止することができる。変形防止用ロッド９の代わりに、ワイヤー或いはターンバックルを備えるワイヤーを用いて、組立式フェンス７０の湾曲部１９と対角線上のコーナー間に張力を加えるようにすることもできる。ワイヤーを用いる場合は、ワイヤーを長孔８に挿通することもできるが、幅広縦板１２Ａ、２２Ａの連結孔１２Ｈ、２２Ｈが無い部分にワイヤー挿通用の孔を設け、この孔にワイヤーを挿通するようにすることもできる。また、ワイヤーは、一端となる第１の基準フェンス１０の縦パイプ１１の下端部と、他端となる第１の基準フェンス１０の湾曲部１９ではフックを設けてそれに引掛け、その間の部分はワイヤー挿通用の孔に挿通させながら、往復させた状態で設けることができる。
【００４７】
図１１（ａ）から（ｆ）は、図９（ｂ）から（ｇ）に示した実施例の組立式フェンス７０に、それぞれ変形防止用ロッド９を斜めに組み込んだ実施例を示すものである。前述の幅広縦板１２Ａ、２２Ａに設ける長孔８の長手方向の長さは、図９（ｂ）から（ｇ）に示した実施例の組立式フェンス７０に、それぞれ変形防止用ロッド９を組み込んだ場合でも、変形防止用ロッド９を挿通することができる長さを備える。
【００４８】
また、図９（ｆ）に示すように、組立式フェンス７０の全長が長く、変形防止用ロッド９の長さが長くなる場合は、図９（ｇ）に示すように変形防止用ロッド９を２本用いて補強することが可能である。更に、変形防止用ロッド９はその長さによって宅配便で農場まで配送できない場合は、宅配便で運べる長さの変形防止用ロッド９を複数本、農場において溶接することによって長くすることができる。そして、組立式フェンス７０に組み込む変形防止用ロッド９は、前述の幅広縦板１２Ａ、２２Ａに設ける長孔８を挿通させて組立式フェンス７０を側面から補強すれば良く、補強ロッド９の数、長さ及び設置箇所は特に限定されるものではない。
【００４９】
図１２（ａ）は、図７（ａ）に示した支柱３，４の間に設置された組立式フェンス７０の支柱４との係脱側に、組立式フェンス７０の開閉動作を容易にするキャスター５０を取り付けた実施例を示すものである。組立式フェンス７０は、支柱３に回転保持部材５によって回転可能に取り付けられていて、出入口２を開閉するように動作するが、開閉動作がスムーズにいかない場合は、支柱４側の組立式フェンス７０の縦パイプ１１の下端部に、キャスター５０を取り付けることができる。キャスター５０は組立式フェンス７０の荷重を支えて地面を走行することにより、組立式フェンス７０の開閉動作をスムーズにすることができる。
【００５０】
図１２（ｂ）は、図１２（ａ）に示したキャスター５０の構造及び組立式フェンス７０への取付方法の一実施例を示すものである。キャスター５０は、ステム５１、車輪５２、旋回部５３、トッププレート５５、トッププレート５５から下に延びる２つのフォーク５６及びフォーク５６の間に設けられた車輪５２の回転軸５７を備えている。旋回部５３はステム５１の下端部にあり、トッププレート５５をステム５１の軸線に対して旋回させる。よってフォーク５６に回転軸５７で保持された車輪５２は旋回可能に地面の上を走行することができる。そして、ステム５１はボルト３５とナット３６によって第１の基準フェンス１０の縦パイプ１１の下端部に固着することができる。
【００５１】
本実施例ではステム５１をボルト３５とナット３６によって直接第１の基準フェンス１０の縦パイプ１１の下端部に固着しているが、キャスター５０の第１の基準フェンス１０の縦パイプ１１への取付方法はこの方法に限定されるものではない。また、ステム５１を外側に曲げることにより、直径の大きな車輪５２を取り付けることもできる。
【００５２】
図１３（ａ）は、図７（ａ）に示した支柱４に回転支持され、支柱３に係脱される組立式フェンス７０の、支柱３側の下パイプ１４に、組立式フェンス７０の開閉動作を容易にするキャスター５０を取り付けた別の実施例を示すものである。本実施例では、組立式フェンス７０が支柱４を中心にして回転し、出入口２を開閉するので、支柱３側の組立式フェンス７０の下パイプ１４に、キャスター５０が取り付けられている。
【００５３】
図１３（ｂ）は、図１３（ａ）に示したキャスター５０の正面図であり、図１３（ｃ）はキャスター５０の取付部分を部分的に拡大して示すものである。キャスター５０は、図１３（ｂ）、（ｃ）に示すように、第１の基準フェンス１０の下パイプ１４の両側に延伸されたベース板５４、ベース板５４の両方の端部近傍の下面にそれぞれ取り付けられた車輪５２、車輪５２を回転軸５７で回転保持するフォーク５６、フォーク５６を旋回可能にベース板５１の下面に取り付けるトッププレート５５、及びベース板５４を下パイプ１４に固定する２つのＵ字フック５８とナット５９とを備える。フォーク５６は、トッププレート５５に対して３６０度旋回させることができる。
【００５４】
図６において説明した実施例では、第２の基準フェンス２０の横幅は固定であり、組立式フェンス７０の横幅は、２つの第１の基準フェンス１０の間に挟んで連結する第２の基準フェンス２０の数と種類によって決めていた。一方、複数種類の第２の基準フェンス２０の中に、横幅を変更することが可能な伸縮フェンスが１つあれば、組立式フェンス７０を、多様な農場の家畜用柵の出入口の幅に対応させることができる。ここでは、横幅を変更にした第２の基準フェンスである伸縮フェンス２０Ｃの構造とその使用状況について、図１４及び図１５を用いて説明する。
【００５５】
横幅を変更することが可能な伸縮フェンス２０Ｃの構造の一実施例を図１４に示す。伸縮フェンス２０Ｃは、図６（ｃ）に示した第２の基準フェンス２０Ｓの中間上パイプ２３と中間下パイプ２４をその中央部で分割（二等分）して、分割部に伸縮機構６０を挟んで形成されている。そして、伸縮フェンス２０Ｃは伸縮機構６０により、その横幅を、図６（ｃ）に示した第２の基準フェンス２０Ｓの横幅から、図６（ｂ）に示した第２の基準フェンス２０の横幅の範囲で変更できるようにした。なお、伸縮フェンス２０Ｃの中間上パイプ２３と中間下パイプ２４は、第１の基準フェンス１０の上パイプ１３及び下パイプ１４と同一寸法の中空のパイプである。
【００５６】
図１４（ａ）に示すように、伸縮機構６０は、２本のスライドロッド６１、中央縦枠６２、拡大して示す固定具６３及び複数本の伸縮性ロープ６４を備えている。２本のスライドロッド６１は、伸縮機構６０の両側に位置する中間上パイプ２３と中間下パイプ２４のパイプ孔にスライド可能にはめ込むことができる太さを備えている。そして、２本のスライドロッド６１の中央部が垂直方向に中央縦枠６２の上端部と下端部で結合されている。本実施例では、中央縦枠６２は平板状に描かれているが、中央縦枠６２は平板状でなくても良い。固定具６３は中間上パイプ２３と中間下パイプ２４のパイプ孔にはめ込まれた２本のスライドロッド６１の位置を固定するネジであり、中間上パイプ２３と中間下パイプ２４に設けられた貫通孔２６に、矢印Ａ又は矢印Ｂで示される方向から螺着される。
【００５７】
更に、伸縮性ロープ６４は、中央縦枠６２の両側と２つの中間縦板２２の間にそれぞれ設けられるものであり、２本のスライドロッド６１が中間上パイプ２３と中間下パイプ２４のパイプ孔２７に没入すると、その長さが縮むようになっている。固定具６３は中間上パイプ２３と中間下パイプ２４に設けられた貫通孔２６に螺着され、ねじ込むことによりスライドロッド６１の位置を固定する。伸縮性ロープ６４としては、エラスティックロープや牽引ロープ、或いは引張バネのようなものを使用することができる。また、伸縮性ロープ６４の代わりに、ターンバックルのような伸縮できる取付部材をロープとロープの間に設けて、ロープの全長を調節するようにすることもできる。
【００５８】
図１４（ｂ）は、図１４（ａ）に示した第２の基準フェンス２０Ｃを組み立てて最大限に広げ、固定具６３で固定した状態を示すものである。この時の伸縮フェンス２０Ｃの横幅は図６（ｂ）に示した第２の基準フェンス２０の横幅以下である。この状態では、スライドロッド６１の両端は中間上パイプ２３と中間下パイプ２４の長さの半分以上奥まで差し込まれていて、中間上パイプ２３と中間下パイプ２４へのスライドロッド６１の差し込み部がガタつかないようになっている。このとき、伸縮性ロープ６４により、中間縦板２２の間がこれ以上開かないようにすることができる。
【００５９】
図１４（ｃ）は、図１４（ｂ）に示した伸縮フェンス２０Ｃを最も縮めた状態に近づけ、固定具６３で固定した状態を示すものである。伸縮フェンス２０Ｃを最も縮めた状態にすると、伸縮フェンス２０Ｃの横幅は図６（ｃ）に示した第２の基準フェンス２０Ｓの横幅に近くなる。このように、伸縮フェンス２０Ｃの横幅を縮めていくと、スライドロッド６１の両端部が中間上パイプ２３と中間下パイプ２４の端部から外に突出する。
【００６０】
一方、伸縮フェンス２０Ｃの横幅を縮めていって、スライドロッド６１の両端部が中間上パイプ２３と中間下パイプ２４の端部から外に突出した状態でも、伸縮フェンス２０Ｃに隣接するのは、図１５に示すように、第１の基準フェンス１０または第２の基準フェンス２０である。そして、第１の基準フェンス１０の上パイプ１３と下パイプ１４及び第２の基準フェンス２０の中間上パイプ２３及び中間下パイプ２４は全て同一寸法の中空のパイプである。
【００６１】
即ち、隣接する第１の基準フェンス１０または第２の基準フェンス２０の上パイプ１３、２３及び下パイプ１４、２４は全て同一寸法の中空パイプである。このため、スライドロッド６１の、中間上パイプ２３と中間下パイプ２４の端部から外に突出した突出部６１Ｅは、隣接する上パイプ１３、２３及び下パイプ１４、２４のパイプ孔２７にスライドして挿入されることになる。この結果、伸縮フェンス２０Ｃと隣接する第１の基準フェンス１０又は第２の基準フェンス２０との連結が強化される。
【００６２】
以上、本発明に係る組立式フェンスを、実施例に基づいて説明したが、本発明の組立式フェンスは、以上のようにして牧場や農場に設置することができる。最初に、組立式フェンスを１つ使用する場合の設置について説明する。
（１）まず、牧場用柵の出入口の両側にある第１と第２の支柱の間の長さに合わせて、２つの第１の基準フェンスの間に挟む第２の基準フェンスの組み合わせ（数又は種類）を決定する。この場合、図１４、図１５で説明した伸縮フェンス２０Ｃを使用すれば、第１と第２の支柱の間の長さに合わせることができる。
【００６３】
（２）決定した組み合わせの第１と第２のフェンスを、連結せずに設置場所に宅配便や郵送で配送する。本発明の第１と第２のフェンスは全て宅配便で配送可能なサイズに収められているので、安価な運賃で設置場所まで配送できる。
【００６４】
（３）第２の基準フェンスが単数の場合は、設置場所において、対向する第１の基準フェンスの縦板と第２の基準フェンスの中間縦板とを結合させて組立式フェンスを形成する。また、第２の基準フェンスが複数の場合は、対向する第１の基準フェンスの縦板と第２の基準フェンスの中間縦板の結合、及び対向する第２の基準フェンスの中間縦枠同士の結合を行って組立式フェンスを形成する。第１の基準フェンスを２つだけを用いて組立式フェンスとすることもできる。
【００６５】
（４）このようにして組み立てた組立式フェンスは、第１の基準フェンスの一方の縦パイプを回動保持部材を用いて第１の支柱に回動自在に保持させ、他方の縦パイプを係脱部材を用いて第２の支柱に係合させて設置することができる。
【００６６】
次に、組立式フェンスを２つ使用する場合の設置について説明するが、ここでは、組立式フェンスを１つ使用する場合の設置方法と異なる部分のみを説明する。（１）では、牧場用柵の出入口の両側にある第１と第２の支柱の間の長さに合わせて、２つの組立式フェンスのそれぞれの長さと、それぞれの組立式フェンスにおいて両側の第１の基準フェンスの間に挟む第２の基準フェンスの組み合わせ（数又は種類）を決定する点が異なる。（２）、（３）の手順は同じである。（４）では、２つの組立式フェンスの、一方の第１の基準フェンスの縦パイプを、回動保持部材を用いて第１の支柱に回動自在に保持させ、他方の第１の基準フェンスの縦パイプを第２の支柱に回動自在に保持させる。そして、回動自在に第１と第２の支柱に保持された２つの組立式フェンスの自由端側の縦パイプを、係脱部材を用いて係脱可能に係合させれば、２つの組立式フェンスを第１の支柱と第２の支柱の間に観音開き可能の状態で設置できる。
【００６７】
図１６は、図４（ａ）に示した第１の基準フェンス１０と第２の基準フェンス２０における補強部材１６の具体的な実施例の一実施例を示す斜視図である。本実施例では、補強部材１６の構造を明確にするために、縦板１２、外枠１５及び中間縦板２２は仮想線で描いてある。また、第１の基準フェンス１０と第２の基準フェンス２０とを連結するための連結孔及びボルトとナットの図示も省略してある。第１の基準フェンス１０の上パイプ１３と下パイプ１４の間、及び第２の基準フェンス２０の上パイプ２３と下パイプ２４の間に取り付けて補強する縦補強部材１６Ｖは平板状である。また、第１の基準フェンス１０の縦パイプ１１と縦板１２の間、及び第２の基準フェンス２０の２枚の中間縦板２２の間に取り付けて補強する横補強部材１６Ｈは丸棒である。
【００６８】
縦補強部材１６Ｖの幅広の面は、縦板１２及び中間縦板２２に対向するように配置してある。一方、縦補強部材１６Ｖの両端部は、幅広の面に対して９０度捻ってあり、幅広の面に対して直交させた状態にしてあるので、縦補強部材１６Ｖの端面が、上パイプ１３、下パイプ１４、中間上パイプ２３及び中間下パイプ２４の長手方向と平行になっている。よって、第１の基準フェンス１０にある縦補強部材１６Ｖの端面は、上パイプ１３と下パイプ１４の長手方向に沿った状態で溶接でき、第２の基準フェンス２０にある縦補強部材１６Ｖの端面は、中間上パイプ１３と中間下パイプ１４の長手方向に沿った状態で溶接できる。これにより、縦補強部材１６Ｖは第１の基準フェンス１０と第２の基準フェンス２０との溶接部分が長くなり、強固な溶接を行うことができる。
【００６９】
一方、横補強部材１６Ｈは、縦補強部材１６Ｖを貫通した状態でその中央部が縦補強部材１６Ｖに溶接して固定してある。また、第１の基準フェンス１０にある横補強部材１６Ｈの両端は、縦パイプ１１と縦板１２にそれぞれ溶接し、第２の基準フェンス２０にある横補強部材１６Ｈの両端は、２枚の中間縦板２２にそれぞれ溶接する。この結果、第１の基準フェンス１０の外枠１５と第２の基準フェンス２０の外枠２５が縦補強部材１６Ｖと横補強部材１６Ｈを組み込むことにより強固になる。
【００７０】
図１７（ａ）は、図３（ａ）に示した第１の基準フェンス１０の他の実施例の第１の基準フェンス１０´の構成を示す分解斜視図であり、図１７（ｂ）は、図３（ｂ）に示した第２の基準フェンス２０の他の実施例の第２の基準フェンス２０´の構成を示す分解斜視図である。図１７（ａ）、（ｂ）に示す実施例が、図３（ａ）、（ｂ）で説明した実施例と異なる点は、縦板１２´、幅広縦板１２Ａ´、中間縦板２２´、及び幅広中間縦板２２Ａ´の構造のみである。よって、ここでは相違点のみ説明する。
【００７１】
図３（ａ）、（ｂ）で説明した実施例では、縦板１２、幅広縦板１２Ａ、中間縦板２２、及び幅広中間縦板２２Ａの両端部には、上パイプ１３、２３と下パイプ１４、２４の外形と同じ形状の半円状の凹部があった。よって、縦板１２、幅広縦板１２Ａ、中間縦板２２、及び幅広中間縦板２２Ａは、外側の面が上パイプ１３、２３と下パイプ１４、２４の端面と面一になるように上パイプ１３、２３と下パイプ１４、２４に接合されていた。一方、図１７（ａ）、（ｂ）に示す実施例では、縦板１２´、幅広縦板１２Ａ´、中間縦板２２´、及び幅広中間縦板２２Ａ´の両端部には半円状の凹部がなく、縦板１２´、幅広縦板１２Ａ´、中間縦板２２´、及び幅広中間縦板２２Ａ´の両端は、上パイプ１３、２３と下パイプ１４、２４のパイプ孔を塞ぐように延長されている。
【００７２】
第２の基準パイプ２０に伸縮機構６０を設けない構成であれば、上パイプ１３、２３と下パイプ１４、２４のパイプ孔は、縦板１２´、幅広縦板１２Ａ´、中間縦板２２´、及び幅広中間縦板２２Ａ´の両端部で塞いでしまっても良い。図１８（ａ）は、図１７（ａ）、（ｂ）に示した他の実施例の第１の基準フェンス１０´と第２の基準フェンス２０´をボルト３５とナット３６を用いて組み立てる状態を示す斜視図である。また、図１８（ｂ）は、組み立てられた状態の他の実施例の第１の基準フェンス１０´と第２の基準フェンス２０´を示す斜視図である。更に、図１８（ｃ）は図１８（ａ）のＣ部を部分拡大した図である。上パイプ１３、２３と下パイプ１４、２４のパイプ孔を、縦板１２´、幅広縦板１２Ａ´、中間縦板２２´、及び幅広中間縦板２２Ａ´の両端部で塞ぐ場合は、上パイプ１３、２３と下パイプ１４、２４の全周を縦板１２´、幅広縦板１２Ａ´、中間縦板２２´、及び幅広中間縦板２２Ａ´に溶接する。この場合、図１８（ｃ）の一例を示すように、中間縦板２２‘と上パイプ２３との溶接箇所Ｓが上パイプ２３の全周に渡るので、溶接強度が増し、第１の基準フェンス１０と第２の基準フェンス２０の強度が増大する。
【００７３】
図１９（ａ）は、図４（ａ）に示した第１と第２の基準フェンス１０，２０の接続時に、上パイプ１３と上パイプ２３及び下パイプ１４と下パイプ２４とを、ボルト３５とナット３６を用いて結合する前に、仮組立具７０Ｊを用いて仮接続する構成を示す分解斜視図である。また、図１９（ｂ）は図１９（ａ）に示した仮組立具７０Jの一実施例の構造を示す部分拡大側面図である。仮組立具７０Ｊは、例えば、第１と第２の基準フェンス１０，２０をボルト３５とナット３６を用いて締結する前に、上パイプ１３と中間上パイプ２３及び下パイプ１４と中間下パイプ２４の接続部を仮接続するものである。ここでは、仮組立具７０Ｊの一実施例の構造を、図１９（ｂ）と図２０を用いて説明するが、仮組立具７０Ｊが上パイプ１３と上パイプ２３の間に挿入される場合だけを説明し、下パイプ１４と下パイプ２４の接続部を仮組立具７０Ｊで仮接続する場合についてはその説明を省略する。
【００７４】
仮組立具７０Ｊは、固定部材７１、固定部材７１の両側に設けられる移動部材７２、固定部材７１の外周部に複数個（本実施例では４個）取り付けられる板状バネ７３及び移動部材７２を移動させる押し部材７４とを備えて構成される。固定部材７１は円柱状をしており、湾曲した側面には板状バネ部材７３の中央部７３Ｂを取り付けるための４つの溝部７１Ｍがある。溝部７１Ｍの幅は板状バネ部材７３の幅と同じであり、溝部７１Ｍの側面の底面からの高さは板状バネ部材７３の厚さと同じになっている。板状バネ部材７３の中央部７３Ｂにはネジ孔７３Ｈがあり、ネジ孔７３Ｈに対向する溝部７１Ｍの部分にもネジ穴７１Ｈがある。板状バネ部材７３は、ネジ７５をネジ孔７３Ｈに挿通し、ネジ穴７１Ｈに螺着することによって固定部材７１に取り付けられる。
【００７５】
なお、固定部材７１の１つの溝部７１Ｍには、途中で二股に分かれて、固定部材７１の両端面７１Ｆの中央部に開口する開口７１Ｂにそれぞれ滑らかに連通するガイド孔（二股通路）７１Ａが開けられている。そして、ガイド孔７１Ａを備える溝部７１Ｍに取り付けられる板状バネ７３には、ガイド孔７１Ａに対向する位置に、ガイド孔７１Ａと重なる貫通孔７３Ａが設けられている。また、４個の板状バネ７３の中央部７３Ｂの両側の部分は、固定部材７１の両端面７１Ｆを通る軸線方向に折り曲げられて傾斜する傾斜部７３Ｓになっている。
【００７６】
傾斜部７３Ｓは、内側から押されると、外側に変形可能である。傾斜部７３Ｓの先端部近傍の上面にはロック突起７３Ｌが設けられている。ロック突起７３Ｌは上パイプ１３に設けられたロック孔１３Ｈ（上パイプ２３に設けられたロック孔は不図示）に内側から挿入される。移動部材７２は円錐台状をしており、上底と下底の間にある側面の傾斜は、板状バネ７３の傾斜部７３Ｓの傾斜に沿った傾斜である。移動部材７２は板状バネ部材７３に囲まれていて、固定部材７１の両側から抜け出ないようになっており、固定部材７１側から押されると、固定部材７１の両端面７１Ｆから離れる方向に移動し、板状バネ７３の傾斜部７３Ｓを押し上げることができる。
【００７７】
押し部材７４は棒状であり、長手方向に垂直な方向の断面形状は、１つの板状バネ７３の中央部７３Ｂに設けられたガイド孔７３Ａと、１つの固定部材７１の溝７１Ｍに設けられた孔７１Ａを通り抜けることができる形状である。押し部材７４には長手方向にスリット７４Ｓがあり、スリット７４Ｓによって押し部材７４は先端部が左右に分離することができる。また、押し部材７４は長手方向には変形できないが、短手方向には変形して湾曲することができる材質から形成されている。この押し部材７４をスリット７４Ｓのある先端部の方向から貫通孔７３Ａを通して孔７１Ａに差し込んでいくと、押し部材はガイド孔７１Ａが二股になっているので先端部側が左右に分離する。
【００７８】
押し部材７４は、スリット７４Ｓがある先端部側の端面が開口７１Ｂに達するまで、固定部材７１に押し込まれ、この状態では開口７１Ｂの反対側の押し部材７４の後端部は板状バネ７３のガイド孔７３Ａから突出している。この状態が図２１（ａ）に示されており、仮組立具７０Ｊは、この状態で納品される。第１の基準フェンス１０と第２の基準フェンス２０の連結時に仮組立具７０Ｊは、押し部材７４が上側になるように上パイプ１３と上パイプ２３のパイプ孔２７に挿入される。このため、上パイプ１３と上パイプ２３の端面の上側には、仮組立具７０Ｊを受け入れるための凹部１３Ｃ，２３Ｃが設けられている。
【００７９】
仮組立具７０Ｊが上パイプ１３と上パイプ２３のパイプ孔２７に挿入され、スリット７４Ｓの無い後端部側が連結部にある凹部１３Ｃ，２３Ｃから突出した状態では、上パイプ１３と上パイプ２３は、仮組立具７０Ｊによって結合されていない。そこで、この状態で、上パイプ１３と上パイプ２３の連結部から突出する押し部材７４の後端部の端面をハンマー７６で叩く。すると、押し部材７４は長手方向の長さが変わらずにガイド孔７１Ａ内を移動し、先端部が開口７１Ｂから突出して移動部材７２を押す。この結果、移動部材７２は固定部材７１から離れる方向に移動し、板状バネ７３の傾斜部７３Ｓを押し上げる。
【００８０】
ハンマー７６で押し部材７４の端部を叩き続けると、やがて押し部材７４の端部が上パイプ１３と上パイプ２３の外周面に達し、これ以上移動しなくなる。この状態が図２１（ｂ）に示される。この状態では、傾斜部７３Ｓが上パイプ１３と上パイプ２３の内面に近づき、傾斜部７３Ｓに突設されたロック突起７３Ｌが上パイプ１３と上パイプ２３に設けられたロック孔１３Ｈ，２３Ｈにそれぞれ没入する。ロック突起７３Ｌとロック孔１３Ｈ，２３Ｈとの係合は、全ての板状バネ７３において起こるので、仮組立具７０Ｊによって上パイプ１３と上パイプ２３がロックされて接続される。
【００８１】
仮組立具７０Ｊから突出させる押し部材７４の長さは、押し部材７４の後端部がハンマー７６によって上パイプ１３，２３の外周面に達した時に、押し部材７４の反対側の先端部の端面に押されて移動する移動部材７２により、ロック突起７３Ｌがロック孔１３Ｈ，２３Ｈにそれぞれ没入する長さとすれば良い。
【００８２】
以上のように構成された仮組立具７０Ｊは、例えば、図１９に示すように、第１の基準フェンス１０と第２の基準フェンス２０をボルト３５とナット３６で締結して連結する場合の仮接続に使用することができる。すなわち、第１の基準フェンス１０と第２の基準フェンス２０をボルト３５とナット３６で締結しようとする場合、第１の基準フェンス１０の連結孔１２Ｈと第２の基準フェンス２０の連結孔２２Ｈの位置を合わせることが面倒である。
【００８３】
このような場合、ボルト３５とナット３６で第１の基準フェンス１０と第２の基準フェンス２０を締結する前に、まず、仮組立具７０Ｊで第１の基準フェンス１０の上パイプ１３と、第２の基準フェンス２０の上パイプ２３を、前述の方法で仮接続する。次に、仮組立具７０Ｊで第１の基準フェンス１０の下パイプ１４と、第２の基準フェンス２０の下パイプ２４を、前述の方法で仮接続する。すると、縦板１２の連結孔１２Ｈと中間縦板２２の連結孔２２Ｈが全て重なり合うので、ボルト３５とナット３６を用いた第１の基準フェンス１０と第２の基準フェンス２０の締結を容易に行うことができる。
【００８４】
このため、前述した本発明の組立式フェンスを、牧場や農場に送って設置する場合に、組立式フェンスを１つ組み立てて使用する場合でも、２つ組み立てて板使用する場合でも、ボルトとナットを用いて第１の基準フェンス１０と第２の基準フェンス２０を連結する前に、仮組立具７０Ｊを用いて、第１の基準フェンス１０や第２の基準フェンス２０を仮接続しておけば、ボルト３５とナット３６を用いた第１の基準フェンス１０と第２の基準フェンス２０の締結を容易に行うことができる。
【００８５】
図２２（ａ）は、図４（ａ）に示した第１と第２の基準フェンス１０，２０の締結時に、上パイプ１３と上パイプ２３及び下パイプ１４と下パイプ２４とを、ボルト３５とナット３６を用いて結合する前に仮接続する別の実施例の仮組立具７０Ｋを示す分解斜視図である。また、図２２（ｂ）は図２２（ａ）に示した別の実施例の仮組立具７０Ｋを絞り加工する前の状態を示す金属板７０Ｌの平面図、図２２（ｃ）は図２２（ａ）に示した仮組立具７０Ｋの構造を示す部分拡大側面図である。この別の実施例の仮組立具７０Ｋも、第１と第２の基準フェンス１０，２０をボルト３５とナット３６を用いて締結する前に、上パイプ１３と中間上パイプ２３及び下パイプ１４と中間下パイプ２４の連結部を仮接続するものである。
【００８６】
ここで、別の実施例の仮組立具７０Ｋの構造を図２２（ａ）〜図２２（ｅ）を用いて説明するが、ここでも、仮組立具７０Ｋが上パイプ１３と上パイプ２３の間に挿入される場合だけを説明し、下パイプｊ１４と下パイプ２４の連結部を仮組立具７０Ｋで仮接続する場合についてはその説明を省略する。
【００８７】
仮組立具７０Ｋは、図２２（ｂ）に示す１枚の金属板７０Ｌを絞り加工することによって、図２２（ｃ）に示す形状の仮組立具７０Ｋとすることができる。この実施例の仮組立具７０Ｋには、上パイプ固定部７７、縦板固定部７８及び結合部７９がある。上パイプ固定部７７は、上パイプ１３，２３の外周部の回りに取り付けられる形状であり、縦板固定部７８は、縦板１２，２２を両側から挟む形状である。また、結合部７９にはボルト挿通孔７０Ｈが設けられていて、この孔にボルト３５が挿通され、ナット３６で締結される。
【００８８】
仮組立具７０Ｋで第１と第２の基準フェンス１０，２０を仮接続する場合は、図２２（ｄ）に示すように、第１と第２の基準フェンス１０，２０を隣接させた状態で、仮組立具７０Ｋの対向する縦板固定部７８を離間させて開く。この状態で、図２２（ｅ）に示すように、上パイプ固定部７７を上パイプ１３，２３に被せると共に、縦板固定部７８で縦板１２，２２の重なった端面を挟む。そして、ボルト挿通孔７０Ｈにボルトを挿通し、ナット３６で締結すると、図２２（ｆ）に示す状態になる。同じ要領で下パイプ１４，２４を仮接続すれば、縦板１２，２２にある連結孔１２Ｈが重なり合うので、第１と第２の基準フェンス１０、２０を仮組立具７０Ｋで仮接続した状態で、ボルトとナット３６を用いて容易に且つ強固に連結できる。
【００８９】
図２３（ａ）は、本発明の他の実施例の組立式フェンス７０を構成する第１の基準フェンス１０と第２の基準フェンス２０の正面図である。本実施例の組立式フェンス７０が前述の実施例の組立式フェンス７０と異なる点は以下の通りである。
（あ）第１の基準フェンス１０の上パイプ１３と下パイプ１４が２つの湾曲部１９を介してＵ字状に形成されている点、
（い）補強部材が縦の補強部材１６Ｔだけから構成されている点、及び
（う）第１の基準フェンス１０の上側の湾曲部１９の近傍に、フェンスを係止具を用いて支柱に係止するためのリング１７が設けられている点、である。
【００９０】
本実施例の第１の基準フェンス１０と第２の基準フェンス２０は、図２３（ｂ）に示すように、２つの第１の基準フェンス１０で第２の基準フェンス２０を挟んで固定することにより、組立式フェンス７０を形成することができる。本実施例の組立式フェンス７０は、補強部材として縦の補強部材１６Ｔだけが用いられているので、牛が前足を補強部材１６Ｔと補強部材１６Ｔの間に差し入れても前足が補強部材１６Ｔに引っ掛からない。このため、牛の前足の骨折が防止され、安全である。なお、本実施例では、第１の基準フェンス１０の上パイプ１３と下パイプ１４の接続に縦板１２が用いられ、第２の基準フェンス２０の中間上パイプ１３と中間下パイプ１４の接続に中間縦板２２が用いられているが、縦板１２の代わりに幅広縦板１２Ａ、縦板１２´又は幅広縦板１２Ａ´、中間縦板２２の代わりに幅広縦板２２Ａ、縦板２２´又は幅広縦板２２Ａ´を用いても良い。
【００９１】
更に、本実施例の第１の基準フェンス１０と第２の基準フェンス２０は、図２３（ｃ）に示すように、第１の基準フェンス１０に第２の基準フェンス２０を連結した後に、第１の基準フェンス１０の上下を逆にして第２の基準フェンス２０に接続することにより、リング１７を組立式フェンス７０の対角線上に位置させることができる。この結果、本実施例の組立式フェンス７０は、対角線上にあるリング１７を利用して変形防止用ロッド９を取り付けることができ、組立式フェンス７０の変形を防止することができる。また、変形防止用ロッド９の代わりにワイヤーを使用して組立式フェンス７０の変形を防止する場合は、ワイヤーの両端をリング１７に引掛けて固定し、ワイヤーが縦の補強部材１６Ｔと交差する部分は、ワイヤーを縦の補強部材１６Ｔに対してジグザクに交差させて取り付ければ良い。
【００９２】
また一般に、日本では９０ｃｍの倍数で構造物の間隔が設定されるが、例えば牧場における支柱の間隔は、支柱の中心間距離で定められることが多く、第１と第２の基準フェンスの横幅を共に９０ｃｍに定めると、組立式フェンスが支柱間に入らなくなる場合が生じる。そこで、組立式フェンスの両端にしか配置しない第１の基準フェンスの横幅を、９０ｃｍより短くした実施例が可能である。具体的には、第１の基準フェンスの横幅を７８ｃｍとし、第２の基準フェンスの横幅を９０ｃｍとした実施例が可能である。
【００９３】
第１の基準フェンスの横幅が７８ｃｍ、第２の基準フェンスの横幅が９０ｃｍである場合、組立式フェンスを回転保持する回転保持部材を取り付ける支柱と第１の基準フェンスとの間隔が８ｃｍ必要なので、係脱部材を取り付ける支柱と第１の基準フェンスとの間隔は１６ｃｍになる。支柱と第１の基準フェンスとの間隔が１６ｃｍあれば、組立式フェンスを支柱に係脱する係脱部材を、支柱と第１の基準フェンスとの間に余裕をもって取り付けることができる。
【００９４】
図２４は、第１の基準フェンスＡの横幅を９０ｃｍ、２種類の第２の基準フェンスＢ，Ｃの横幅をそれぞれ６５ｃｍと９０ｃｍとし、支柱の幅が１００ｍｍである時に、支柱間の距離に合わせて実現可能な第１と第２の基準フェンスの組み合わせの、別の実施例の説明図である。ここでは、支柱間の距離を尺貫法の「間」（約１８００ｍｍ）を用いて説明する。なお、支柱間の距離は一般に支柱の中心間距離で示される。また、フェンスは支柱に回動保持部材であるヒンジを用いて取り付けられ、この場合の縦パイプと支柱間の距離は８０ｍｍ必要であるものとする。
【００９５】
図２４の上部に示される表における最も左側の列は、支柱間の距離を「間」で示したものであり、１間から３間半までが示してある。この表の左から４列目は、支柱間の距離からヒンジ幅と支柱幅の１００ｍｍを引いた距離を示している。支柱間の距離は支柱の中心間距離であるので、支柱間の実際の距離は支柱間距離から支柱幅の半分を両側で引いた距離であり、これは支柱間の距離から支柱幅を引いた距離に等しい。従って、この表の左から４列目の距離は、支柱間に取り付け可能な組立式フェンスの横幅と、組立式フェンスのヒンジの反対側にある縦パイプから支柱までの距離（係脱部材が取り付けられる空間であり、ここではクリアランスと称している）の合計である。一般に、クリアランスは３０〜１００ｍｍ必要である。
【００９６】
そして、この表の右側から３列目は第１の基準フェンスの横幅を９０ｃｍ、２種類の第２の基準フェンスの横幅を６５ｃｍと９０ｃｍとした場合の最適な組立式フェンスの幅であり、その時の組み合わせが最も右側の列に記載されている。この実施例では、フェンス間の距離が１間から３間まではクリアランスが全て７０ｍｍとなるので、係脱部材の取り付けには最適であり、この実施例の第１と第２の基準フェンスの幅の設定は、支柱間の距離が３間までは理想的な設定の一つであると言える。
【符号の説明】
【００９７】
１    家畜用柵
２    出入口
３、４  支柱
９  変形防止用ロッド  
１０、１０Ｌ，１０Ｓ  第１の基準フェンス
１１  縦パイプ
１２  縦板
１３  上パイプ
１４  下パイプ
１５  外枠
１６  補強部材    
１６Ｈ  横補強部材
１６Ｖ  縦補強部材
１７  回動保持部材    
１８  係脱部材  
２０、２０Ｃ、２０Ｌ，２０Ｓ  第２の基準フェンス  
２２  中間縦枠
２３  中間上パイプ
２４  中間下パイプ
２５  中間外枠
５０  キャスター
６０  伸縮機構
６１  スライドロッド
６２  中央縦枠
６３  固定具
６４  伸縮性ロープ
７０  組立式フェンス
７０Ｊ、７０Ｋ  仮組立具
７１  固定部材
７２  移動部材
７３  板状バネ
７４  押し部材
【要約】
【課題】家畜用組立式フェンス及びその設置方法を提供する。
【解決手段】縦、横及び高さの３辺の長さの合計を公共の配送サービスで配送可能な最大サイズ以下とした基準フェンスを配送後に連結して形成する家畜用組立式フェンス７０であって、組立式フェンスの両側に配する第１の基準フェンス１０は、上下パイプ１３，１４、縦パイプ１１と縦板１２を矩形状に接合し、内部に補強部材を配して形成し、２つの第１基準フェンス１０の間に配する第２基準フェンス２０は、縦板１２と連結可能な中間縦板２２を両側にして上下パイプ２３，２４で矩形状に接合し、内部に補強部材１６を配して形成する。設置場所に配送後に、縦板同士、中間縦板同士又は縦板と中間縦板を面結合して第１と第２の基準フェンスの連結で家畜用組立式フェンス７０を組み立てる。組立後の組立式フェンス７０は、牧場用柵の出入口の両側にある支柱の間に片開き又は両開き状態で設置可能である。
【選択図】図２【図１】
0006857928.tif 000002
【図２】
0006857928.tif 000003
【図３】
0006857928.tif 000004
【図４】
0006857928.tif 000005
【図５】
0006857928.tif 000006
【図６】
0006857928.tif 000007
【図７】
0006857928.tif 000008
【図８】
0006857928.tif 000009
【図９】
0006857928.tif 000010
【図１０】
0006857928.tif 000011
【図１１】
0006857928.tif 000012
【図１２】
0006857928.tif 000013
【図１３】
0006857928.tif 000014
【図１４】
0006857928.tif 000015
【図１５】
0006857928.tif 000016
【図１６】
0006857928.tif 000017
【図１７】
0006857928.tif 000018
【図１８】
0006857928.tif 000019
【図１９】
0006857928.tif 000020
【図２０】
0006857928.tif 000021
【図２１】
0006857928.tif 000022
【図２２】
0006857928.tif 000023
【図２３】
0006857928.tif 000024
【図２４】
0006857928.tif 000025